(57)【要約】【課題】ライトワンスのメディアとしてのDVD-Rに対して録画編集を安全に行うことができるように工夫した。【解決手段】ライトワンスメディアへの録画を行なう映像録画装置であって、編集処理のデータの保存用に割り当てる記録領域上の第１のサイズを指定する手段と、前記ライトワンスメディアの記録領域の残量から前記第１のサイズを差し引いて録画用に割り当てる第２のサイズを算出する手段とを有し、前記第２のサイズを記録可能なサイズの上限として録画を実施する手段と、前記第１のサイズを下限として編集処理を実施する手段とを有する。【選択図】      図１
2006107624.tif 000002
【特許請求の範囲】
【請求項１】
ライトワンスメディアへの録画を行なう映像録画装置であって、
編集処理のデータの保存用に割り当てる記録領域上の第１のサイズを指定する手段と、
前記ライトワンスメディアの記録領域の残量から前記第１のサイズを差し引いて録画用に割り当てる第２のサイズを算出する手段と、
前記第２のサイズを記録可能なサイズの上限として録画を実施する手段と、
前記第１のサイズを下限として編集処理を実施する手段と、
を有することを特徴とする映像録画装置。
【請求項２】
ライトワンスメディアへの録画を行なう映像録画装置であって、
録画用に割り当てる記録領域上の第２のサイズを指定する手段と、
前記ライトワンスメディアの記録領域の残量から前記第２のサイズを差し引いて編集処理のデータの保存用に割り当てる第１のサイズを算出する手段と、
前記第２のサイズを記録可能なサイズの下限として録画を実施する手段と、
前記第１のサイズを上限として編集処理を実施する手段と、
を有することを特徴とする映像録画装置。
【請求項３】
前記請求項１に記載の手段に基づいて録画および編集を実施する第1の手段と、
請求項２に記載の手段に基づいて録画および編集を実施する第２の手段と、
前記ライトワンスメディアの記録領域の残量を上限として録画および編集処理を実施する第3の手段と、
上記第1、第２、第3の手段のいずれかを選択し実行させるための第4の手段と、
を有することを特徴とする映像録画装置。
【請求項４】
前記請求項１または２または３のいずれかに記載された手段に基づいて録画あるいは編集処理を実施するかを示す情報が、前記ライトワンスメディア上に保持されることを特徴とする請求項１または２または３に記載の映像録画装置。
【請求項５】
前記請求項１または２または３のいずれかに記載された手段に基づいて録画あるいは編集処理を実施するかを示す、個々のライトワンスメディアの情報が、前記ライトワンスメディアへの録画を行なう映像録画装置の記憶部上に保持されることを特徴とする請求項1または２または３に記載の映像録画装置。
【請求項６】
前記請求項１または２または３のいずれかに記載された手段に基づいて録画あるいは編集処理を実施するかの初期状態の情報が、前記ライトワンスメディアへの録画を行なう映像録画装置の記憶部上に保持されることを特徴とする請求項１または２または３に記載の映像録画装置。
【請求項７】
前記請求項１または２または３のいずれかに記載された手段に基づいて録画あるいは編集処理を実施するかを示す情報は、前記ライトワンスメディアの使用開始後、任意で変更が可能であることを特徴とする請求項１または２または３に記載の映像録画装置。
【発明の詳細な説明】
【技術分野】
【０００１】
この発明は、例えばDVD-Rのように追記型の記録媒体に対する録画を安全に行うことができるようにした映像録画装置に関するものである。
【背景技術】
【０００２】
デジタルバーサタイルディスク（DVD）の録画フォーマットには、セルDVDソフトなどで使用されているDVD Videoフォーマットと、DVDレコーダーで使用され、編集処理が可能なDVD VRフォーマットとがある。従来、DVD VRフォーマットは、DVD-RAMやDVD-RWで主に使用されてきた。これらは書換え可能なメディアであり、編集処理を行うのに都合がよいが、メディアの単価が比較的高い。
【０００３】
これに対し、DVD-Rは比較的メディアが安価である。従来、DVDプレーヤーとの再生互換性を重視する観点から、DVD-RではDVD Videoフォーマットでの録画が主流であったが、DVD VRフォーマットによるDVD-Rへの録画も、DVD フォーラム（Forum）の規格として公式に認められている。
【０００４】
この編集処理を自在に実施できるDVD VRフォーマットによる安価なDVD-Rへの録画は、操作性とコストの点で、ユーザーメリットが大きい。しかしながら、DVD-Rはライトワンスのメディアであり、録画や編集を実施することでディスクの記録領域を消費していく。そのため、DVD-Rに大量のデータを録画してしまった後では、記録領域の残量が十分ではないために編集処理が実施できなくなるおそれがあるといった問題点があった。
【発明の開示】
【発明が解決しようとする課題】
【０００５】
上記のようにDVD-Rはライトワンスのメディアであり、録画や編集を実施することでディスクの記録領域を消費していく。そのため、DVD-Rに大量のデータを録画してしまった後では、記録領域の残量が十分ではないために編集処理が実施できなくなるおそれがあるといった問題点があった。
【０００６】
そこでこの発明は、ライトワンスのメディアとしてのDVD-Rに対して録画編集を安全に行うことができるように工夫した映像録画装置を提供することを目的とする。
【課題を解決するための手段】
【０００７】
この発明の一面は、上記目的を達成するために、ライトワンスメディアへの録画を行なう映像録画装置であって、編集処理のデータの保存用に割り当てる記録領域上の第１のサイズを指定する手段と、前記ライトワンスメディアの記録領域の残量から前記第１のサイズを差し引いて録画用に割り当てる第２のサイズを算出する手段と、前記第２のサイズを記録可能なサイズの上限として録画を実施する手段と、前記第１のサイズを下限として編集処理を実施する手段と、を有する。
【０００８】
また、この発明の他の面は、ライトワンスメディアへの録画を行なう映像録画装置であって、録画用に割り当てる記録領域上の第２のサイズを指定する手段と、前記ライトワンスメディアの記録領域の残量から前記第２のサイズを差し引いて編集処理のデータの保存用に割り当てる第１のサイズを算出する手段と、前記第２のサイズを記録可能なサイズの下限として録画を実施する手段と、
前記第１のサイズを上限として編集処理を実施する手段と、を有する。
【発明の効果】
【０００９】
上記の手段により、ライトワンスメディアであるDVD-Rに対して、DVD VRフォーマットにより、長時間録画、または大量のタイトルの録画、または高符号化レートでの録画を行なっても、ある程度の編集処理が可能となる。また、安全な録画容量の設定も可能となる。
【発明を実施するための最良の形態】
【００１０】
以下、図面を参照してこの発明の実施の形態を説明する。図１は、この発明を適用した映像録画装置の実施の一形態を示す図である。この実施例では、記録媒体としてDVDなどの光ディスクとハードディスクの双方を取り扱うことができる装置として示しているが、ハードディスクあるいはDVDなどの光ディスクは例えば半導体メモリによる記録媒体などに置換されてもよい。
【００１１】
図１において、各ブロックを大きく分けると、左側には記録部の主なブロックを示し，右側には再生部の主なブロックを示している。
【００１２】
図１の映像録画装置は、２種類のディスクドライブ部を有する。まず、ビデオファイルを構築できる情報記録媒体である第１のメディアとしての光ディスク１００１を回転駆動し、情報の読み書きを実行するディスクドライブ部１００２を有する。また、第２のメディアとしてのハードディスクを駆動するハードディスクドライブ部２００１を有する。データプロセッサ部１００３は、ディスクドライブ部１００２及びハードディスクドライブ部２００１に記録データを供給することができ、また、再生された信号を受け取ることができる。ディスクドライブ部１００２は、光ディスク１００１に対する回転制御系、レーザ駆動系、光学系などを有する。
【００１３】
データプロセッサ部１００３は、記録または再生単位のデータを取り扱うもので、バッファ回路、変調・復調回路、エラー訂正部などを含む。
【００１４】
また図１の映像録画装置は、録画側を構成するエンコーダ部５０と、再生側を構成するデコーダ部６０と、装置本体の動作を制御するマイクロコンピュータブロック３０とを主たる構成要素としている。
【００１５】
エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１６】
エンコーダ部５０の出力は、バッファメモリを含むフォーマッタ５１にて所定のDVD-RAMのフォーマットに変換され、先のデータプロセッサ部１００３に供給される。
【００１７】
エンコーダ部５０には、AV入力部４１からの外部アナログビデオ信号と外部アナログオーディオ信号、あるいはTVチューナ部４２からのアナログビデオ信号とアナログオーディオ信号が入力される。
【００１８】
なお、エンコーダ部５０は、直接圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。
【００１９】
エンコーダ部５０に含まれるビデオエンコーダでは、デジタルビデオ信号はMPEG２またはMPEG１規格に基づいた可変ビットレートで圧縮されたデジタルビデオ信号に変換される。デジタルオーディオ信号は、MPEGまたはAC-３規格に基づいて固定ビットレートで圧縮されたデジタルオーディオ信号、あるいはリニアPCMのデジタルオーディオ信号に変換される。
【００２０】
副映像信号がAV入力部４１から入力された場合（例えば副映像信号の独立出力端子付DVDビデオプレーヤからの信号など）、あるいはこのようなデータ構成のDVDビデオ信号が放送されてそれがTVチューナ部４２で受信された場合は、DVDビデオ信号中の副映像信号が副映像エンコーダでエンコード（ランレングス符号化）されて副映像のビットマップとなる。
【００２１】
エンコードされたデジタルビデオ信号、デジタルオーディオ信号、副映像データは、フォーマッタ５１にてパック化され、ビデオパック、オーディオパック、副映像パックとなり、さらにこれらが集合されて、DVD-ビデオ規格で規定されたフォーマット（DVD Videoフォーマット）や、DVD-レコーディング規格で規定されたフォーマット（DVD VRフォーマット）に変換される。
【００２２】
ここで図１の装置は、フォーマッタ５１でフォーマット化された情報（ビデオ、オーディオ、副映像データなどのパック）及び作成された管理情報を、データプロセッサ部１００３を介してハードディスクドライブ部２００１あるいはデータディスクドライブ部１００２に供給し、ハードディスクあるいは光ディスク１００１に記録することができる。またハードディスクあるいは光ディスク１００１に記録された情報を、データプロセッサ部１００３、ディスクドライブ部１００２を介して光ディスク１００１あるいはハードディスクに記録することもできる。
【００２３】
またハードディスクあるいは光ディスク１００１に記録されている複数番組のビデオオブジェクトを、一部削除したり、異なる番組のオブジェクトをつなげたり、といった編集処理を行うこともできる。これは、本発明にかかるフォーマットが取り扱うデータ単位を定義し、編集を容易にしているからである。
【００２４】
マイクロコンピュータブロック３０は、MPU（マイクロプロセッシングユニット）、またはCPU（セントラルプロセッシングユニット）と、制御プログラム等が書きこまれたROMと、プログラム実行に必要なワークエリアを提供するためのRAMとを含んでいる。
【００２５】
マイクロコンピュータブロック３０のMPUは、そのROMに格納された制御プログラムに従い、RAMをワークエリアとして用いて、欠陥場所検出、未記録領域検出、録画情報記録位置設定、UDF記録、AVアドレス設定などを実行する。
【００２６】
またマイクロコンピュータブロック３０は、システム全体を制御するために必要な情報処理部を有するもので、ワークRAM３１、ディレクトリ検出部３２、VMG（全体のビデオ管理情報）情報作成部、コピー関連情報検知部、コピー及びスクランブリング情報処理部（RDI処理部）、パケットヘッダ処理部、シーケンスヘッダ処理部、アスペクト比情報処理部などを備える。
【００２７】
またマイクロコンピュータブロック３０は、録画を実行する際の管理情報の制御部３４と、編集を実行する際の管理情報の制御部３３をも備える。本発明が特徴としている手段は、制御プログラムの形で、この編集を実行する際の管理情報の制御部３３および録画を実行する際の管理情報の制御部３４で実行される。
【００２８】
MPUの実行結果のうち、ユーザーに通知すべき内容は、映像データ記録再生装置の表示部４３に表示されるか、またはモニターディスプレイにOSD（オンスクリーンディスプレイ）表示される。またマイクロコンピュータブロック３０は、この装置を操作するための操作信号を与えるキー入力部４４を有する。このキー入力部４４は、例えば映像録画装置の本体上に設けた操作スイッチ類や、あるいはリモコン装置などに相当する。また、本発明の映像録画装置と有線通信あるいは無線通信あるいは光通信や赤外線通信などの手段を用いて接続されたパーソナルコンピューターであってもよい。いずれの形態であるにせよ、ユーザーがこのキー入力部４４を操作することにより、入力された映像音声信号の録画処理や、録画されたコンテンツの再生処理、あるいは録画されたコンテンツに対する編集処理などを施すことができる。
【００２９】
なお、マイクロコンピュータブロック３０が、ディスクドライブ部１００２、ハードディスクドライブ部２００１、データプロセッサ部１００３、エンコーダ部５０及び／またはデコーダ部６０などを制御するタイミングは、STC（システムタイムクロック）３８からの時間データに基づいて実行することができる。録画や再生の動作は、通常はSTC３８からのタイムクロックに同期して実行されるが、それ以外の処理はSTC３８とは独立したタイミングで実行されてもよい。
【００３０】
デコーダ部６０は、パック構造を持つDVDフォーマットの信号から各パックを分離して取り出すセパレータと、パック分離やその他の信号処理実行時に使用するメモリと、セパレータで分離された主映像データ（ビデオパックの内容）をデコードするVデコーダと、セパレータで分離された副映像データ（副映像パックの内容）をデコードするSPデコーダと、セパレータで分離されたオーディオデータ（オーディオパックの内容）をデコードするAデコーダとを有する。またデコードされた主映像にデコードされた副映像を適宜合成し、主映像にメニュー、ハイライトボタン、字幕やその他の副映像を重ねて出力するビデオプロセッサを備えている。
【００３１】
デコーダ部６０の出力ビデオ信号は、ビデオミキシング部７１に入力される。ビデオミキシング部７１では、テキストデータの合成が行われる。またビデオミキシング部７１には、TVチューナ４２やA/V入力部４１からの信号を直接取り込むラインもまた接続されている。ビデオミキシング部７１には、バッファとして用いるフレームメモリ７２が接続されている。ビデオミキシング部７１の出力がアナログ出力の場合はI/F（インタフェース）７３を介して外部出力され、デジタル出力の場合はデジタルアナログ変換器７４を介して外部へ出力される。
【００３２】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、TVチューナ４２やA/V入力部４１からのデジタル信号を直接モニタする時、エンコーダ部５０をスルーした信号を直接選択することも可能である。
【００３３】
なお、エンコーダ部５０のフォーマッタでは、録画中、各切り分け情報を作成し、定期的にマイクロコンピュータブロック３０のMPUへ送る（GOP先頭割り込み時などの情報）。切り分け情報としては、VOBUのパック数、VOBU先頭からのIピクチャのエンドアドレス、VOBUの再生時間などである。
【００３４】
同時に、アスペクト情報処理部からの情報を録画開始時にMPUへ送り、MPUはVOBストリーム情報（STI）を作成する。ここでSTIは、解像度データ、アスペクトデータなどを保存し、再生時、各デコーダ部ではこの情報を元に初期設定が行われる。
【００３５】
また本装置では、ビデオファイルは１ディスクに１ファイルとしている。またデータをアクセス（シーク）している間に、途切れないで再生を続けるために、最低限連続する情報単位（サイズ）を決めている。この単位をCDA（コンティギュアス・データ・エリア）という。CDAサイズは、ECC（エラー訂正コード）ブロック（１６セクタ）の倍数であり、ファイルシステムではこのCDA単位で記録を行っている。
【００３６】
データプロセッサ部１００３は、エンコーダ部５０のフォーマッタからVOBU単位のデータを受け取り、CDA単位のデータをディスクドライブ部１００２あるいはハードディスクドライブ部２００１に供給している。またマイクロコンピュータブロック３０のMPUは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のMPUは、データ単位の情報（切り分け情報など）を受け取る。また、マイクロコンピュータブロック３０のMPUは、記録開始時には光ディスク及びハードディスクから読み取った管理情報（ファイルシステム）を認識し、各ディスクの未記録エリアを認識し、データ上の記録エリアをデータプロセッサ部１００３を介してディスクに設定している。
【００３７】
次に、図２を使用して、管理情報と、コンテンツである実映像データとの関係を簡単に説明する。  図２において、まず実映像データについて説明する。ここでは実映像データは記録メディア上で１つのファイルにまとめられているとする。１つのファイルは、１つまたは複数の実映像データストリームで構成されている。１つ１つの実映像データストリームは、例えば１回の録画処理により記録される単位であったりする。これは、例えばDVDレコーディング規格におけるVOB（ビデオオブジェクト）などに相当する。１つの実映像データストリームは、１つまたは複数のストリーム部分領域で構成される。これは、例えばDVDレコーディング規格におけるVOBU（ビデオオブジェクトユニット）や、MPEG２規格におけるGOP（グループオブピクチャ）などに相当する。１つのストリーム部分領域は、複数パックから構成される。複数のパックとしては、情報パック、映像パック、音声パックなどが存在する。副映像パックが存在してもよい。
【００３８】
情報パックは、例えばDVDレコーディング規格におけるRDIパックなどに相当する。その場合、このパックには、これが属するVOBUの最初のフィールドが再生される開始時間を示す情報、当該VOBUの記録時を示す情報、製造者情報（MNFI）などを含む。また、ディスプレイ制御情報（DCI）及びコピーコントロール情報（CCI）を含む。ディスプレイ制御情報は、アスペクト比情報、サブタイトルモード情報、フィルムカメラモード情報を示す。コピーコントロール情報は、コピー許可情報、またはコピー禁止（非許可）情報を含む。
【００３９】
映像パックはビデオデータがMPEG２の方式で圧縮されたもので、パックヘッダ、パケットヘッダ、ビデオデータ部で構成される。
【００４０】
音声パックはオーディオデータが、例えばリニアPCMあるいはMPEG、あるいはAC-３などの方式で処理されたものであり、パックヘッダ、パケットヘッダ、オーディオデータ部で構成される。
【００４１】
次に、管理情報について説明する。管理情報の中に、実映像データの再生順序を管理する情報（再生順序情報）であるオリジナルタイトル（プログラム）情報が定義されている。これは、例えばDVDレコーディング規格におけるプログラムなどに相当する。個々のオリジナルタイトル情報（またはプログラム情報）の中には参照情報が定義されており、これは再生すべき対象となる実映像データに関する情報である実映像データ情報とリンクしている。これらは、例えばDVDレコーディング規格におけるセルとビデオオブジェクト情報（VOBI）などに相当する。
【００４２】
このようにオリジナルタイトル（プログラム）は、再生順序を管理する情報（再生順序情報）およびそれ自身の実映像データを持ち、通常、録画時にはこのタイトルが作成される。
【００４３】
これに対し、再生順序を管理する情報（再生順序情報）のみで構成されているものもある。これがプレイリスト情報であり、例えばDVDレコーディング規格におけるプレイリストなどがこれに相当する。このプレイリスト情報はそれ自身の実映像データを持たず、図２に示すように、オリジナルタイトルの実映像データ情報に対してリンクしている参照情報を編集（削除、追加）することでプレイリストとして作成される。
【００４４】
実映像データ情報内にはタイムマップ情報が記述されている。このタイムマップ情報は、実映像データ情報に対応する実映像データストリームを構成している部分領域を指定する。管理情報のオリジナルタイトル情報あるいはプレイリスト情報の参照情報から実映像データ情報へのリンクは、論理アドレスで特定されている。またタイムマップ情報から実映像データストリーム及びその部分領域へのリンクは、実映像データストリームの番号、そのストリーム内の部分領域の数、個々の部分領域に対するエントリー番号、個々の部分領域への論理アドレスに基づいて行われている。このような構成により、録画された映像データの通常の再生のみならず、倍速／スロー再生や逆再生のような特殊再生、更にはシーンのサーチなどに対応することができる。
【００４５】
以下、図３以降の図を使用して本発明の動作を説明するが、以下の説明においては、本発明の映像録画装置は、次のような構成を取るものとしている。
【００４６】
まず、本発明に係る映像録画装置は、DVD録画規格（DVD VR規格）に基づいたDVD録画装置であるとする。この場合、DVD上にはDVD VRフォーマットと呼ばれるデータフォーマットで録画される。加えて、本発明に係る映像録画装置は、DVDビデオ規格（DVD Video規格）に基づいてDVDへ録画する機能も有するものとする。この場合は、DVD上にはDVD Videoフォーマットと呼ばれるデータフォーマットで録画される。
【００４７】
また、本発明に係る映像録画装置では、書換え可能なDVD-RAMやDVD-RWだけでなく、ライトワンスメディアであるDVD-Rも使用できるものとする。これらDVDに対して録画を実施する際のフォーマットは、DVDの種類毎に一意に固定されるものではなく、例えばDVD-Rに対して、DVD VRフォーマットまたはDVD Videoフォーマットのいずれのフォーマットによっても録画が実施できるものとする。
【００４８】
また、以下の説明においては、本発明の映像録画装置は、先に説明した図１のブロック図で示されるような、DVDとHDDの２つの録画メディアを有するハイブリッド録画機であるとし、DVDとHDD相互間での映像情報のダビングが可能であるとする。ただし、本発明の内容はハイブリッド録画機だけに適用されるものではなく、DVDへの録画機能のみを有した、DVD単体の録画機に対しても適用できるものである。
【００４９】
また、本発明の映像録画装置においては、録画されたタイトル内の部分領域をチャプターと呼称することとする。たとえばDVD VRフォーマットで録画された場合、チャプターは、タイトル内に設定された、DVD VR規格で定義されているエントリーポイント（EP）をその境界の目印として利用している。すなわち、タイトル内に設定したEPとEPとで挟まれた区間をチャプターと呼ぶ。なお、タイトルの始点と終点については、EPの有無に関わらずチャプターの境界とする。従って、タイトルの１番目のチャプターについては、その始点にEPが立っていないこともあり得る。
【００５０】
図３は、DVD録画規格（DVD VR規格）で規定されているディレクトリとファイルの構成を示す概略図である。この図３には、DVD VR規格のVer１.１で規定されているディレクトリおよびファイルを示している。
【００５１】
DVD VR規格のVer１.１では、ルートディレクトリの下にDVD_RTAVというサブディレクトリを設けており、規格で規定されているファイルはこのDVD_RTAVの下に収められている。つまりDVD_RTAVの下には、図３に示す５種類のファイルのみが存在する。以下、個々のファイルについて説明する。
【００５２】
まず、VR_MANGR.IFOは、オリジナルタイトル（プログラム）やプレイリストに対するナビゲーションデータである。これは先に説明した図２に示される管理情報に相当する。プレイリストやエントリーポイント（EP）などはこのVR_MANGR.IFOの中に記述されている。映像データに直接処理を施さなくても、このVR_MANGR.IFOの記述を変更することによって、不要なシーンの削除などの編集処理を施すことができる。従って、チャプター作成やプレイリスト編集などの編集処理を施す場合、主にこのVR_MANGR.IFOが処理の対象となる。また、このVR_MANGR.IFOには、録画に連動して実映像データに対するタイムマップ情報が書き込まれる。このVR_MANGR.IFOにはディスク全体に関わる情報も書き込まれるため、DVDを初期化した際にただちに作成される。
【００５３】
VR_MANGR.BUPは上記のVR_MANGR.IFOのバックアップファイルである。このVR_MANGR.BUPは規格上はオプションとされており、必ずしも存在しなくてはならないものではない。もしもVR_MANGR.BUPを使用するのであれば、そのファイルの内容はVR_MANGR.IFOと同じでなくてはならない。
【００５４】
一方、VR_MOVIE.VROは、録画された動画像のAV（Audio Visual）データファイルであり、先に説明した図２の実映像データに相当する。ここには、パック化された映像データ、音声データ、またサポートされている場合にはサブピクチャデータが多重化して収められている。
【００５５】
VR_STILL.VROファイルは、静止画像のAVデータファイルであり、VR_MOVIE.VROと同様に、先に説明した図２の実映像データに相当する。ここにはパック化された映像データが収められている他、オプションとして音声データやサブピクチャデータが多重化されていることもある。
【００５６】
また、VR_AUDIO.VROファイルは、前記VR_STILL.VROに収められた静止画像に対するアフレコ（アフターレコーディング）音声情報を収めたデータファイルである。
【００５７】
VR_MOVIE.VRO、VR_STILL.VROおよびVR_AUDIO.VROファイルは、DVDを初期化した際には存在せず、実際に録画が行われた際に作成され、映像データや音声データが記録されることになる。なお、この３種類のファイルは必ず存在するものではなく、例えば静止画の記録機能やアフレコ機能を有していない映像録画装置にはVR_STILL.VROやVR_AUDIO.VROファイルが存在しないということがある。
【００５８】
DVD VR規格のVer１.１で規定されているファイルは以上であるが、それ以外に、映像録画装置の操作性の向上や機能の付加を目的として、その映像録画装置の独自の情報ファイルを作成することも可能である。その場合、それら独自の情報ファイルはDVD_RTAVの下に収めてはならず、ルートディレクトリの直下や、あるいはルートディレクトリの下に作成した独自のサブディレクトリの下に収めなくてはならない。
【００５９】
図４は、ライトワンスメディアであるDVD-Rの記録領域のイメージを表す図である。この図４は、DVD録画規格（DVD VR規格）に基づいて録画されるディスクの初期状態を表している。
【００６０】
ディスクを初期化した際、UDF（Universal Disk Format）のボリューム構造などのファイルシステムの情報や、初期状態の管理情報などが書き込まれる。この管理情報には、先に図３で説明したVR_MANGR.IFOやVR_MANGR.BUPといったDVD VR規格で規定されている管理情報の他、映像録画装置の独自の情報ファイルの中で管理情報の位置付けにあるものが含まれることもある。
【００６１】
DVD-RAMやDVD-RWのような書き換え可能なメディアの場合、編集処理などによって記録内容を変更する場合、対象となるデータを更新してディスクに書き戻すことが可能である。これに対してDVD-Rなどのライトワンスメディアでは、ディスクの記録内容を変更した場合、あるファイルの一部を変更した場合でも、ディスク上の未記録の領域に新たにデータを記録し直す必要がある。つまり、編集処理を施した場合、更新したデータを上書きするのではなく、追記していく形となる。その際、そのファイルの管理情報や、更にそのファイル管理情報とリンクしている親ディレクトリの情報、更にはそのまた親ディレクトリの情報など、多くの管理情報を再構築する必要があり、このままでは非常に効率が悪い。
【００６２】
このような非効率を軽減するために、DVD-Rに対して追記（incremental write）で記録していく場合には、UDFの規格により、VAT（Virtual Allocation Table）と呼ばれる特殊なアドレス変換テーブルを使用することとされている。これを使用することにより、ディスクの記録内容を変更した場合、該変更したデータとVATを記録するだけで済み、リンクしている親ディレクトリの情報などの膨大なデータを全てにわたって変更して追記する必要は無くなる。図４でも、上記初期状態の管理情報を記録した後、その時点でのVATと、VATを識別するためのVAT ICBが書き込まれている。
【００６３】
初期化時に書き込まれた情報の分を差し引いた残りの分が、録画や編集処理のデータの追記に使用できる記録領域である。本発明では、この記録領域の中に、編集処理のデータの保存に割り当てる第１のデータサイズと、録画用に割り当てる第２のデータサイズを設けることを特徴としている。なお図４では録画と編集のそれぞれに割り当てるデータサイズのイメージを表しており、録画と編集とでデータ記録領域を分離することを示しているのではない。これは、図１０以降を使用して後述する、録画や編集による記録領域へのデータの追記のイメージ図を見れば理解できるものである。残り容量は、例えばファイルシステムに記録され、物理セクタ或いは論理セクタの記録済み状態を示すビットマップ情報、或いは管理情報で使用したアドレスとして把握されている論理アドレスを検出することにより把握可能である。
【００６４】
図５は、DVD録画規格（DVD VR規格）に基づいてDVD-Rへ録画を行う場合の、録画と編集におけるモード設定処理のフローチャートである。この図５は、DVD-Rへの録画に際し、録画と編集のどちらのモードを優先するかを設定する処理の流れを示している。
【００６５】
ここでは、“編集回数優先”モード、“録画時間優先”モード、および“優先なし”モードの３種類のモードがあるものとする。“編集回数優先”モードは、DVD VRフォーマットで、DVD-Rに対して、長時間の録画、または大量のタイトルの録画、あるいは高い符号化レートでの録画を行った場合であっても、最低限実施したい編集処理の回数を確保するモードである。  この場合、編集処理のデータの保存用に割り当てるデータサイズを優先的に確保するため、録画に使用できるデータサイズはそれに依存して決まることになる。
【００６６】
一方、“録画時間優先”モードは、たとえばメディアのパッケージに記載されている「標準モードで約２時間録画可能」といったような、ある符号化レートをベースにしたときに確実に録画できる時間を確保するモードである。この場合、録画用に割り当てるデータサイズを優先的に確保するため、編集処理のデータ保存用に使用できるサイズはそれに依存して決まることになる。また、“優先なし”モードは、録画と編集のいずれも特に優先しないというモードである。
【００６７】
以下、図５のフローチャートに記された処理の流れを説明する。  まずステップS５０１では、ユーザーの操作により、“編集回数優先”モード／“録画時間優先”モード／“優先なし”モードのいずれかが選択される。その際ユーザーは、先に説明した図１のブロック図に示されている表示部４３、あるいはモニターディスプレイにオンスクリーン表示された操作画面を参照しながら、図１のキー入力部４４を使用して選択操作を行うことになる。
【００６８】
次にステップS５０２では、選択されたモードが“優先なし”モードか、あるいはそれ以外のモードかを判別して処理を分岐している。“優先なし”モードの場合はステップS５０４に進み、それ以外のモードの場合にはステップS５０３に進む。
【００６９】
“優先なし”モードの場合に進んだステップS５０４では、現在のモードが“優先なし”モードであるという情報を保持して一連の処理を終了する。この現在のモードの情報の保持については、後述する。
【００７０】
一方、ステップS５０３では、それ以外とみなされたモードが“録画時間優先”モードか、あるいは更にそれ以外のモード、すなわち“編集回数優先”モードであるかを判別して処理を分岐している。“録画時間優先”モードの場合はステップS５０５へ進み、“編集回数優先”モードの場合はステップS５０７へ進む。
【００７１】
“録画時間優先”モードの場合に進んだステップS５０５では、現在のモードが“録画時間優先”モードであるという情報を保持して、次のステップS５０６へ進む。この現在のモードの情報の保持については、後述する。
【００７２】
続くステップS５０６では、ユーザー操作による録画保証時間の設定処理を行って、一連の処理を終了する。このステップS５０６における処理の詳細については、図７を使用して後述する。
【００７３】
一方、“編集回数優先”モードの場合に進んだステップS５０７では、現在のモードが“編集回数優先”モードであるという情報を保持して、次のステップS５０８へ進む。この現在のモードの情報の保持については、後述する。
【００７４】
続くステップS５０８では、ユーザー操作による編集保証回数の設定を行って、一連の処理を終了する。このステップS５０８における処理の詳細については、図６を使用して後述する。
【００７５】
前述の、設定された現在のモード情報の保持については、次のような様々な手段を取ることができる。例えば、個々のDVD-R毎に、映像録画装置の独自の情報の一環として、該DVD-R上に記録されるという手段を取り得る。また例えば、映像記録装置上に保持するという手段も取り得る。映像録画装置の中には、個々のディスクが有しているユニークなID情報に基づいてディスクを識別し、該映像録画装置で初期化や録画あるいは編集処理などを行ったディスクのライブラリ情報をその映像録画装置上に保持して管理する機能を有するものがある。このライブラリ情報の一環として、個々のDVD-R毎のモード情報も映像録画装置上に保持することができる。その場合、該映像録画装置に内蔵された不揮発性メモリやデータ保存用のHDD、またDVDとHDDの双方を備えたハイブリッド録画機であれば録画用に使用されるHDD上にデータ保存領域を設けてそこに記録するという手段を取ることもできる。
【００７６】
なお、ユーザー操作により設定されたモード情報に留まることなく、デフォルトのモード情報を設定して保持することもできる。これらは上記ユーザー操作により設定されたモード情報と同様の手段で保持することもでき、更には映像録画装置の本体、例えば装置に内蔵された不揮発性メモリ上などに別途保持することも可能である。
【００７７】
図６は、ユーザー操作による編集保証回数設定の詳細な処理のフローチャートである。これは、先に説明した図５のステップS５０８における処理の詳細な説明である。
【００７８】
まずステップS６０１では、ユーザーの操作により、確保したい編集実施回数が設定される。たとえば、ディスクにこれ以上録画できないところまで録画した場合であっても、一例として、最低でも２０回は編集処理を行いたいならば、その２０回という回数をここで設定する。その際ユーザーは、先に説明した図１のブロック図に示されている表示部４３、あるいはモニターディスプレイにオンスクリーン表示された操作画面を参照しながら、図１のキー入力部４４を使用して設定操作を行うことになる。
【００７９】
次にステップS６０２では、入力された編集実施回数をもとに、編集処理のデータの保存用に割り当てる第１のサイズを算出する。先に述べたように、DVD VRフォーマットで録画されたディスクの場合、編集処理の対象となるのは、主に管理情報であるVR_MANGR.IFOである。（VR_MANGR.BUPはVR_MANGR.IFOの内容をコピーしたものである。）また、映像録画装置によっては、さらに独自の情報ファイルも編集対象となることもある。１回の編集操作で新たに追記されることになるデータ量は、その映像録画装置の仕様（独自情報ファイルの構成など）に依存するために機種やメーカーによっては異なるものの、同じ映像録画装置上ではある程度決まった値とすることができる。よって、この値と設定された編集回数とを掛けることで、編集処理のデータの保存用に割り当てる第１のサイズを算出することが可能となる。
【００８０】
続いてステップS６０３では、DVD-Rの記録領域の総量を取得し、これと前記算出した第１のサイズとを比較して、前記算出した第１のサイズが記録領域の総量を越えるか否かを判別して処理を分岐している。設定された編集回数があまりに大きいと、その時点でのDVD-Rの記録領域の総量よりも大きな値が第１のサイズとして算出されてしまうことがある。特に、既に録画に使用されているDVD-Rに対して途中で“編集回数優先”モードに切り換えた場合、このようになってしまう可能性が高くなってしまう。前記算出した第１のサイズがDVD-Rの記録領域の総量を越えてしまった場合は、ステップS６０４に進む。一方、越えない場合にはステップS６０５に進む。
【００８１】
ステップS６０４では、前記算出した第１のサイズがDVD-Rの記録領域の総量を越えてしまった旨をユーザーに通知し、再度確保したい編集実施回数を設定するか否かをユーザーに選択させる。ユーザーが再設定することを選択した場合にはステップS６０１に戻り、該ステップS６０１以降の処理を再度実施する。ユーザーが再設定を選択しなかった場合には、一連の処理を終了する。
【００８２】
一方、ステップS６０５では、その時点での記録領域の総量から、前記算出した編集処理のデータの保存用に割り当てる第１のサイズを差し引くことにより、録画用に割り当てる第２のサイズを算出した後、ステップS６０６に進む。この“編集回数優先”モードでは、この算出した第２のサイズを上限として、録画を行うことが可能となる。但、これはあくまで上限であり、確保した回数以上に編集操作を行った場合には、録画に使用できるサイズはこれを下回ることもある。これについては、図１０から図１３までを使用して後述する。
【００８３】
ステップS６０６では、前記算出した第１のサイズおよび第２のサイズの値を保持して、一連の処理を終了する。なお、この算出した値の保持については、先に図５の説明で述べたモード情報の保持と同様の手段を取ることが可能である。実際には、モード情報の保持と連携して保持されるのが適切であろう。
【００８４】
図７は、ユーザー操作による録画保証時間の設定処理の詳細なフローチャートである。これは、先に説明した図５のステップS５０６における処理の詳細な説明である。
【００８５】
まずステップS７０１では、ユーザーの操作により、確保したい録画時間が設定される。たとえば、ディスクのパッケージに「標準モードで約２時間録画」と記載されていたとして、そのカタログスペックの値の分を保証したいときに、“標準録画モード”という録画モードと“２時間”という時間をここで設定する。なお、いわゆる“標準録画モード”や“高画質録画モード”、あるいは“長時間録画モード”といった形で提供される録画モードにおける設定符号化レートは、その映像録画装置の仕様やメーカーの設計方針などに依存して変わることはいうまでもない。この場合、映像信号の符号化レートだけでなく、その録画モードで設定されている音声信号の符号化方式（例えばMPEG AudioやDolby AC-３、LPCMなど）や符号化レートなども異なる。従って、ユーザー操作としては録画モードの選択であっても、内部では符号化方式の選択や符号化レートの選択が行われる。無論、録画モードの選択といったものに限らず、ユーザーが直接符号化方式や符号化レートを設定するのでもよい。いずれにせよ、録画時間だけでなく、録画による発生符号量の見積もりに必要なパラメータの設定が、このステップS７０１で必要になる。この設定処理の際、ユーザーは、先に説明した図１のブロック図に示されている表示部４３、あるいはモニターディスプレイにオンスクリーン表示された操作画面を参照しながら、図１のキー入力部４４を使用して設定操作を行うことになる。
【００８６】
次にステップS７０２では、設定された録画時間や録画モード（符号化方式、符号化レート、等）をもとに、録画用に割り当てる第２のサイズを算出する。録画の際に発生するデータ量は、たとえばメディアの記録領域の残量がゼロになった際に録画処理を停止する処理や、メディアの残容量に基づく録画の可否の判定などに使用されている既存の処理を流用することで算出することができる。よって、該既存の処理に前記設定されたパラメータを組み合わせることで、録画用に割り当てることができる第２のサイズを算出することが可能となる。
【００８７】
続いてステップS７０３では、DVD-Rの記録領域の総量を取得し、これと前記算出した第２のサイズとを比較して、前記算出した第２のサイズが記録領域の総量を越えるか否かを判別して処理を分岐している。設定された録画時間があまりに長かったり、あるいは符号化レートが高かったりすると、その時点でのDVD-Rの記録領域の総量よりも大きな値が第２のサイズとして算出されてしまうことがある。特に、既に録画に使用されているDVD-Rに対して途中で“録画時間優先”モードに切り換えた場合、このようになってしまう可能性が高くなってしまう。前記算出した第２のサイズがDVD-Rの記録領域の総量を越えてしまった場合は、ステップS７０４に進む。一方、越えない場合にはステップS７０５に進む。
【００８８】
ステップS７０４では、前記算出した第２のサイズがDVD-Rの記録領域の総量を越えてしまった旨をユーザーに通知し、再度確保したい録画時間や録画モード（符号化方式、符号化レート、等）を設定するか否かをユーザーに選択させる。ユーザーが再設定することを選択した場合にはステップS７０１に戻り、該ステップS７０１以降の処理を再度実施する。ユーザーが再設定を選択しなかった場合には、一連の処理を終了する。
【００８９】
一方、ステップS７０５では、その時点での記録領域の総量から、前記算出した録画用に割り当てる第２のサイズを差し引くことにより、編集処理のデータの保存用に割り当てる第１のサイズを算出した後、ステップS７０６に進む。この“録画時間優先”モードでは、この算出した第１のサイズを上限として、編集処理を行うことが可能となる。但、これはあくまで上限であり、確保した時間以上に録画を行った場合には、編集データの保存に使用できるサイズはこれを下回ることもある。これについては、図１４から図１６までを使用して後述する。
【００９０】
ステップS７０６では、前記算出した第１のサイズおよび第２のサイズの値を保持して、一連の処理を終了する。なお、この算出した値の保持については、先に図５の説明で述べたモード情報の保持と同様の手段を取ることが可能である。実際には、モード情報の保持と連携して保持されるのが適切であろう。
【００９１】
図８は、本発明に係る映像録画装置における録画処理の概略を表すフローチャートである。
【００９２】
まず、ステップS８０１では、録画開始要求がコールされる。これは、ユーザーの直接操作による手動録画の開始や、あるいはタイマー設定による予約録画の起動などが挙げられる。
【００９３】
次にステップS８０２では、録画に使用できる記録領域の残量を確認する。ここでは、保持されているモード情報、および保持されている第１のサイズならびに第２のサイズ、更にその時点でのDVD-Rの記録領域の残量を考慮する必要がある。仮に現在“編集回数優先”モードが設定されているならば、録画に使用できるデータサイズの上限は前記第２のサイズである。しかしながら、目一杯録画を実施した後でも前記第１のサイズの分を編集処理用に確保しなくてはならないため、例えば複数のタイトルの録画を実施し、その間に編集処理を何度か実施しているような場合には、前記第２のサイズに達する前に録画が打ち止めになることもありえる。よって、この“編集回数優先”モードの場合は、上限値である第２のサイズを越えるか否かのチェックだけでなく、記録領域の残量が第１のサイズを下回るか否かのチェックも行った上で、録画の継続／停止を判断する必要がある。一方、“録画時間優先”モードや“優先なし”モードの場合には、記録領域の残量を使い切るまで録画を実施することができる。
【００９４】
続くステップS８０３では、実際に録画を開始する前に上記の残量確認を行い、録画を行うための残量があるか否かを判別して処理を分岐している。仮に録画に使用できる残量がゼロである（“編集回数優先”モードで記録領域の残量が第１のサイズを下回るケースも含む）と判定された場合には、以後の録画処理を実施することなく、一連の処理を終了する。一方、録画に使用できる残量がゼロではない場合には、ステップS８０４に進み、録画を開始する。
【００９５】
なお、以後のステップS８０４からステップS８０７までの処理は主に録画と残量の確認であるが、これらは録画を行いながら逐次残量の確認を行うものである。きわめて短い時間の単位で録画と残量確認を切り換えて実施するもので、巨視的にはほぼ並列に実施されるイメージである。ステップS８０４では、録画処理を実施する。
【００９６】
また、続くステップS８０５では、録画による発生データ量を記録領域の残量から差し引いている。またここでは、併せて保持されている第２のサイズからも録画による発生データ量を差し引いている。
【００９７】
次にステップS８０６では、録画停止要求がコールされたか否かを監視している。これは、ユーザーの直接操作による手動録画の停止や、あるいはタイマー設定による予約録画の停止、あるいはユーザーの操作による予約録画の途中停止などが例として挙げられる。録画停止要求がコールされていると判別された場合には、続くステップS８０７をスキップしてステップS８０８へ進む。録画停止要求がコールされていないと判別された場合には、ステップS８０７へ進む。
【００９８】
ステップS８０７では、先にステップS８０５で録画による発生符号量を差し引いた残量を確認し、録画を継続するための残量があるか否かを判別して処理を分岐している。仮に残量がゼロである（“編集回数優先”モードで記録領域の残量が第１のサイズを下回るケースも含む）と判定された場合には、続くステップS８０８へ進む。一方、残量がゼロではない場合には、ステップS８０４に進み、ステップS８０４以降の処理を繰り返して録画を継続する。
【００９９】
ステップS８０８では、残量がゼロになった、あるいは録画停止要求がコールされたかのいずれかの状態であるとみなして、録画を停止し、一連の処理を終了する。先に述べたステップS８０５の処理により、記録領域の残量および第２のサイズからは、ここまでの録画処理による発生データ量が差し引かれているので、この差し引き後の記録領域の残量、および差し引き後の第２のサイズの値を保持し、次回の録画実施の際の残量評価に使用される。
【０１００】
図９は、本発明の映像録画装置における編集処理の概略を表すフローチャートである。まず、ステップS９０１では、編集処理の実施要求がコールされる。詳細は省略するが、この編集処理としては、例えばプログラム（オリジナルタイトル）やプレイリストといったタイトルを複数のチャプターに分割する処理や、必要なチャプターを集めてプレイリストを構築する処理などが例として挙げられる。
【０１０１】
次にステップS９０２では、編集処理のデータの保存に使用できる記録領域の残量を確認する。ここでは、保持されているモード情報、および保持されている第１のサイズならびに第２のサイズ、更にその時点でのDVD-Rの記録領域の残量を考慮する必要がある。仮に現在“録画時間優先”モードが設定されているならば、編集に使用できるデータサイズの上限は前記第１のサイズである。しかしながら、確保された録画時間は下限値であり、これを越えて録画を実施することも可能であるため、そのような場合には、前記第１のサイズに達する前に編集が打ち止めになる可能性もある。この“録画時間優先”モードの場合には、上限値である第１のサイズを越えるか否かのチェックを行って、編集処理の実施の可否を判断する必要がある。一方、“編集回数優先”モードや“優先なし”モードの場合には、記録領域の残量を使い切るまで編集を実施することができる。
【０１０２】
続くステップS９０３では、編集処理の実施に先立って上記の残量確認を行い、編集を行うための残量があるか否かを判別して処理を分岐している。仮に編集に使用できる残量がゼロであると判定された場合には、以後の編集処理を実施することなく、一連の処理を終了する。一方、編集に使用できる残量がゼロではない場合には、ステップS９０４へ進む。
【０１０３】
ステップS９０４では、要求された編集処理を実施する。次のステップS９０５では、編集処理で発生したデータ量を記録領域の残量から差し引いている。またここでは、併せて保持されている第１のサイズからも編集処理で発生したデータ量を差し引いている。この差し引き後の記録領域の残量、および差し引き後の第１のサイズを保持して、一連の処理を終了している。この保持された値は、次回の編集処理の際の残量評価に使用される。
【０１０４】
図１０から図１３までは、“編集回数優先”モードが設定されたときの、DVD-Rの記録領域の変遷を示す一連のイメージ図である。
【０１０５】
まず図１０は、先に説明した図４の状態を初期状態として、ここに新たに”Rec_１”で示すタイトルが１つ録画された状態を表している。この場合は、AVデータ（VR_MOVIE.VRO）と管理情報（VR_MANGR.IFO、VR_MANGR.BUP、映像記録装置の独自情報など）の双方が記録されている。また、録画によるディスクの記録内容の変更を反映したVATとVAT ICBとが記録されている。
【０１０６】
次に図１１では、編集処理が１回行われ、”Edit_１”で示すその編集処理のデータが保存された状態を表している。この場合は、管理情報（VR_MANGR.IFO、VR_MANGR.BUP、映像記録装置の独自情報など）のみが記録され、更にその編集処理によるディスクの記録内容の変更を反映したVATとVAT ICBとが記録されている。
【０１０７】
続いて図１２は、更に”Rec_２”で示すタイトルが録画された状態を示している。ここでは“編集回数優先”モードが設定されているため、編集処理を実施可能とするため、第１のサイズ分の記録領域を確保しなくてはならない。そのため、”Rec_２”で示すタイトルは、第１のサイズの分の残量を残したところで録画を停止している。ここで仮に”Edit_１”で示される編集処理が実施されなかった場合には、第２のサイズの分の記録領域はすべて録画のために使用することができた。
【０１０８】
最後に図１３は、”Edit_２” および”Edit_３”で示される編集処理のデータが保存された状態を表している。この場合、これ以上の新たなタイトルの録画は実施できないものの、第１のサイズ分の記録領域が編集処理のために確保されているので、”Edit_２” および”Edit_３”で示される編集処理が実施できた。以後、このDVD-Rの記録領域の残量がゼロになるまで、編集処理を実施し、その内容を反映させたデータを保存することができる。
【０１０９】
図１４から図１６までは、“録画時間優先”モードが設定されたときの、DVD-Rの記録領域の変遷を示す一連のイメージ図である。
【０１１０】
まず図１４は、先に説明した図４の状態を初期状態として、ここに新たに”Rec_１”で示すタイトルが１つ録画された状態を表している。この場合は、AVデータ（VR_MOVIE.VRO）と管理情報（VR_MANGR.IFO、VR_MANGR.BUP、映像記録装置の独自情報など）の双方が記録されている。また、録画によるディスクの記録内容の変更を反映したVATとVAT ICBとが記録されている。
【０１１１】
次に図１５は、複数回の編集処理が実施され、更に複数のタイトルの録画が行われた状態を示している。ここでは“録画時間優先”モードが設定されているため、編集処理のデータの保存に割り当てられている第１のサイズが編集処理の上限として扱われるが、この図１５では編集処理がｘ回目まで実施された時点で、編集処理のデータの保存に費やされたデータ量の総和が第１のサイズに達したものとする。
【０１１２】
最後に図１６は、”Rec_n”で示すタイトルが録画された状態を表している。先に図１５で説明したように、編集処理がｘ回目まで実施された時点で、編集処理のデータの保存に費やされたデータ量の総和が第１のサイズに達し、以後は新たな編集処理を行うことはできない。この場合、残りの記録領域はすべて録画のみに使用される。以後、このDVD-Rの記録領域の残量がゼロになるまで録画を行うことができる。
【０１１３】
図１７から図１９までは、“優先なし”モードが設定されたときの、DVD-Rの記録領域の変遷を示す一連のイメージ図である。まず図１７は、先に説明した図４の状態を初期状態として、ここに新たに”Rec_１”および”Rec_２”で示すタイトルが２つ録画され、また編集処理が２回行われ、”Edit_１”および”Edit_２”で示すその編集処理のデータが保存された状態を表している。この場合、ここでは“優先なし”モードが設定されているため、斜線で塗りつぶされた記録領域の残りの部分は、録画・編集の双方に使用することが可能である。
【０１１４】
図１８は、その記録領域の残りの部分を録画に使用した場合の例を示している。この例では、記録領域の残りの部分には”Rec_３”で示すタイトルが録画されている。
【０１１５】
一方、図１９は、前記記録領域の残りの部分を編集に使用した別の場合の例を示している。この例では、編集処理が更に２回実施され、記録領域の残りの部分には”Edit_３”および”Edit_４”で示すその編集処理のデータが保存されている。
【０１１６】
以上、図面を使用して本発明の実施例を説明してきたが、本発明の内容はここに記述したものに留まらず、その主旨を逸脱しない範囲で様々な形態を取り得ることは言うまでもない。
【０１１７】
たとえば、図４は録画と編集のそれぞれに割り当てるデータサイズのイメージを表すものであり、ここでは録画と編集とで記録領域を分離するものではないことを述べている。また図１０から図１９までを使用して説明した実施例においても、記録領域を録画用と編集用とに分離していないことを示している。特に“録画時間優先”モードの説明に使用した図１４から図１６までの一連のイメージ図では、編集処理のデータの保存が行われた領域は記録領域上の様々な位置に存在し、それらの領域で費やされたデータ量の総和を第１のサイズと比較するという形態を取っている。
【０１１８】
これに対して、記録領域を録画用と編集用とに分離するという実施の形態も取り得ることは言うまでもない。また、記録領域上における、その分離した録画用の領域および編集処理のデータの保存用の領域の配置の方法についても様々な形態を取り得る。先に示した図４から類推される形態としては、記録領域の前半の方に録画用の領域を配置し、後半の方に編集用の領域を配置するという形態が考えられる。それに対し、例えば図２０に示すように、記録領域の前半部に編集用の領域を配置し、後半部に録画用の領域を配置するという形態も考えられる。なお、図２０に示したような例では、編集処理のデータ（VR_MANGR.IFO、VR_MANGR.BUP、映像記録装置の独自情報など）は記録領域の前半部に記録されるものの、その編集処理によるディスクの記録内容の変更を反映したVATとVAT ICBとは記録領域の後半部の方に記録されなくてはならない。従って、この場合、実施する編集回数分のVATとVAT ICBの分のデータサイズを第１のサイズから差し引き、また該差し引いたデータサイズを第２のサイズに加えるといったような調整処理が必要になる。
【０１１９】
また、この図２０のように編集用と録画用とでデータの記録領域を分けた場合に、それぞれに割り当てた第１のサイズや第２のサイズを越えるような編集処理あるいは録画の扱いも、様々な形態を取り得ることはいうまでもない。たとえば、それぞれに割り当てたデータサイズを上限として取り扱い、それを越えるような録画や編集は一切不可能とする手法も考えられる。逆に、自らに割り当てられた領域を越えるような録画や編集を許容する手法も考えられる。その場合は、本来録画用に割り当てられた領域にサイズ１を越えた以後の編集処理のデータを記録したり、逆に本来編集用に割り当てられた領域にサイズ２を越えた以後の録画データの記録を行ったりすることになる。
【０１２０】
本実施形態に記載の手段により、ライトワンスメディアであるDVD-Rに対して、DVD VRフォーマットによって、長時間の録画、あるいは大量のタイトルの録画、あるいは高い符号化レートでの録画を行っても、ある程度の編集処理を行うことが可能になり、ユーザーの利便性が向上する。
【０１２１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１２２】
【図１】本発明の映像録画装置の概要を示すブロック図。
【図２】本発明における、管理情報と実映像データとの関係を表す図。
【図３】DVD録画規格（DVD VR規格）で規定されているディレクトリとファイルの構成を示す概略図。
【図４】ライトワンスメディアであるDVD-Rの記録領域のイメージを表す図。
【図５】録画と編集におけるモード設定処理のフローチャート。
【図６】編集保証回数設定の詳細な処理のフローチャート。
【図７】録画保証時間設定の詳細な処理のフローチャート。
【図８】本発明の映像録画装置における録画処理の概略を表すフローチャート。
【図９】本発明の映像録画装置における編集処理の概略を表すフローチャート。
【図１０】“編集回数優先”モードが設定されたときの、DVD-Rの記録領域の変遷を示す一連のイメージを示す説明図。
【図１１】“編集回数優先”モードが設定されたときの、DVD-Rの記録領域の変遷を示す一連のイメージを示す説明図。
【図１２】“編集回数優先”モードが設定されたときの、DVD-Rの記録領域の変遷を示す一連のイメージを示す説明図。
【図１３】“編集回数優先”モードが設定されたときの、DVD-Rの記録領域の変遷を示す一連のイメージを示す説明図。
【図１４】“録画時間優先”モードが設定されたときの、DVD-Rの記録領域の変遷を示す一連のイメージを示す説明図。
【図１５】“録画時間優先”モードが設定されたときの、DVD-Rの記録領域の変遷を示す一連のイメージを示す説明図。
【図１６】“録画時間優先”モードが設定されたときの、DVD-Rの記録領域の変遷を示す一連のイメージを示す説明図。
【図１７】“優先なし”モードが設定されたときの、DVD-Rの記録領域の変遷を示す一連のイメージを示す説明図。
【図１８】“優先なし”モードが設定されたときの、DVD-Rの記録領域の変遷を示す一連のイメージを示す説明図。
【図１９】“優先なし”モードが設定されたときの、DVD-Rの記録領域の変遷を示す一連のイメージを示す説明図。
【図２０】記録領域を録画用と編集用とに分離した場合の、DVD-Rの記録領域のイメージの一例を表す図。
【符号の説明】
【０１２３】
３０…マイクロコンピュータブロック、３１…ワークRAM、３２…ディレクトリ検出部、３３…編集時の管理情報制御部、３４…録画時の管理情報制御部、４１…AV入力部、４２…TVチューナ、４３…表示部、４４…キー入力部、５０…エンコーダ部、５１…フォーマッタ、５２…バッファメモリ、６０…デコーダ部、１００１…光ディスク、１００２…ディスクドライブ部、１００３…データプロセッサ部、２００１…ハードディスクドライブ部。
【図１】
2006107624.tif 000003
【図２】
2006107624.tif 000004
【図３】
2006107624.tif 000005
【図４】
2006107624.tif 000006
【図５】
2006107624.tif 000007
【図６】
2006107624.tif 000008
【図７】
2006107624.tif 000009
【図８】
2006107624.tif 000010
【図９】
2006107624.tif 000011
【図１０】
2006107624.tif 000012
【図１１】
2006107624.tif 000013
【図１２】
2006107624.tif 000014
【図１３】
2006107624.tif 000015
【図１４】
2006107624.tif 000016
【図１５】
2006107624.tif 000017
【図１６】
2006107624.tif 000018
【図１７】
2006107624.tif 000019
【図１８】
2006107624.tif 000020
【図１９】
2006107624.tif 000021
【図２０】
2006107624.tif 000022